(57)【要約】【課題】レピートなしに印刷され得る、書換え可能及び消去可能な印刷版で作業するオフセット印刷機を提供する。【解決手段】レピートなしのオフセット印刷のために、書換え可能及び消去可能なオフセット印刷版が、シームレスの表面を有しており、書換え可能及び消去可能な前記オフセット印刷版の全表面が、オフセット印刷に適合された所定の粗さを有しているようにした。【選択図】なし【特許請求の範囲】
【請求項１】
少なくとも１つのオフセット印刷機構を備え、該オフセット印刷機構が、少なくとも１つの版胴、転写胴、インキ機構、及び有利には湿し機構を有しており、さらに、前記版胴上に位置決めされた書換え可能及び消去可能なオフセット印刷版の画線部形成及び／又は画線部除去のための少なくとも１つの画線部形成装置が設けられて成るオフセット印刷機において、
レピートなしのオフセット印刷のために、書換え可能及び消去可能な前記オフセット印刷版が、シームレスの表面を有しており、書換え可能及び消去可能な前記オフセット印刷版の全表面が、オフセット印刷に適合された所定の粗さを有していることを特徴とするオフセット印刷機。
【請求項２】
書換え可能及び消去可能な前記オフセット印刷版又が、各画線部形成装置によってシームレスに画線部形成可能である請求項１記載のオフセット印刷機。
【請求項３】
画線部形成装置に連続的に画線部形成材料が供給可能であり、画線部形成材料がオフセット印刷版の表面へ、有利にはレーザを介して、シームレスに供給可能である請求項２記載のオフセット印刷機。
【請求項４】
書換え可能及び消去可能な前記オフセット印刷版が、溶接されたスリーブ、特に溶接された鋼スリーブとして形成されており、各スリーブの溶接シームが、スリーブの全表面がオフセット印刷に適合された所定の粗さを有するように、超仕上げプロセスによって処理されている請求項１から３までのいずれか１項記載のオフセット印刷機。
【請求項５】
スリーブの表面及び溶接シームが、研磨、特に粗研磨及び後続の微細研磨によって、オフセット印刷に適合された粗さに調節されている請求項４記載のオフセット印刷機。
【請求項６】
書換え可能及び消去可能な前記オフセット印刷版が、電気めっきによって製作されたシームレスのスリーブ、特に電気めっきによって製作されたニッケルスリーブとして形成されており、該スリーブが、オフセット印刷に適した表面を提供するためにシームレスにコーティングされている請求項１から３までのいずれか１項記載のオフセット印刷機。
【請求項７】
スリーブの表面が、ＰＶＤコーティングプロセスによってシームレスにコーティングされている請求項６記載のオフセット印刷機。
【請求項８】
スリーブの表面が、溶射、特に火炎溶射によって、シームレスにコーティングされている請求項６記載のオフセット印刷機。
【請求項９】
レピートなしのオフセット印刷のために使用される請求項１から８までのいずれか１項記載のオフセット印刷機。
【請求項１０】
スリーブの表面が、クロムの電着塗装によってシームレスにコーティングされている請求項６記載のオフセット印刷機。
【発明の詳細な説明】
【技術分野】
【０００１】
本発明は、独立請求項に記載した形式のオフセット印刷機に関する。
【背景技術】
【０００２】
定置の印刷版を用いた印刷方法の場合、従来技術によれば、オフセット印刷と凹版印刷と凸版印刷とスクリーン印刷とに区別され、この場合、フレキソ印刷は凸版印刷の特殊形式である。公知先行技術に基づき公知のこれらの印刷方法のどれもが、長所及び短所を有している。例えば、凹版印刷及びフレキソ印刷は、例えばパッケージ、壁紙又は贈答用包装紙の、レピート（柄幅若しくは反復模様）なしの印刷に適している。しかしながら、凹版印刷及びフレキソ印刷のための印刷版の製作は手間及び費用がかかるので、少ない発行部数でレピートなしの印刷を行うことは、今日まで経済的には実現され得なかった。オフセット印刷では印刷版は著しく安価に製作され得るが、公知先行技術に基づき公知のオフセット印刷機は、レピートなしの印刷には適していない。
【０００３】
定置の印刷版を用いたオフセット印刷の場合、原理上、一方では、一回限り書込み可能な印刷版で作業する印刷プロセスと、他方では、書換え可能な印刷版で作業する印刷プロセスとに区別される。書換え可能な印刷版を使用する印刷プロセスは、「コンピュータ・トゥ・プレス(computer to press)／ダイレクトイメージング（direct imaging）」というキャッチフレーズでも要約される。本出願人は、書換え可能及び消去可能な印刷版で作業するオフセット印刷機を製品名「ダイコウェブ」(“DICOweb”)で販売するものである。ダイコウェブ−テクノロジの主要特徴は、非特許文献１に記載されている。書換え可能及び消去可能な印刷版で作業するオフセット印刷機も、従来、レピートなしのオフセット印刷には適していなかった。
【非特許文献１】”Handbuch der Printmedien”（Helmut Kipphan著、６７４〜６８０頁、２０００年、Springer-Verlag）
【発明の開示】
【発明が解決しようとする課題】
【０００４】
前記のことから出発して、本発明の課題は、レピートなしに印刷され得る、書換え可能及び消去可能な印刷版で作業するオフセット印刷機を提供することである。
【課題を解決するための手段】
【０００５】
前記課題は、独立請求項に記載のオフセット印刷機によって解決される。本発明によれば、レピートなしのオフセット印刷のために、書換え可能及び消去可能なオフセット印刷版が、シームレスの（nahtlos）表面を有しており、書換え可能及び消去可能な前記オフセット印刷版の全表面が、オフセット印刷に適合された所定の表面粗さを有している。
【０００６】
本発明によるオフセット印刷機では、オフセット印刷でレピートなしに印刷され得るオフセット印刷機が初めて提案される。このことによって、例えば壁紙、贈答用包装紙又はパッケージにもオフセット印刷でレピートなしに印刷することが可能になる。これに応じて、書換え可能及び消去可能な印刷版で作業する、本発明によるオフセット印刷機では、レピートなしの印刷に適した印刷版が安価に製作され得るので、レピートなしの印刷は少数の発行部数の場合にも経済的である。
【０００７】
本発明の有利な実施態様は、従属請求項及び以下の説明から得られる。
【発明を実施するための最良の形態】
【０００８】
本発明による印刷機は、書換え可能及び消去可能な印刷で作業するオフセット印刷機である。このようなオフセット印刷機は複数のオフセット印刷機構を有しており、この場合、各オフセット印刷機構は、少なくとも１つの版胴、転写胴、インキ機構及び湿し機構を有している。さらに、前記オフセット印刷機構は、少なくとも１つの画線部形成装置を有しており、この画線部形成装置によって、各版胴上に位置決めされたオフセット印刷版において画線部形成及び画線部除去が行われ得る。オフセット印刷版に画線部を形成するには、画線部形成材料が版胴の方向に移動させられ、オフセット印刷版の表面に供給される。この場合、画線部形成材料は、有利にはローラ若しくは転写リボンにおいて蓄えられ、レーザを用いた熱転写方法を介して、画線部形成すべきオフセット印刷版の表面へ転写される。画線部形成材料は、有利にはポリマー材料である。画線部形成材料を、転写リボンを介して、かつ該転写リボンと協働するレーザを介して供給することが有利であるとはいえ、ここで指摘しておきたいのは、画線部形成材料を、当然のことながら、単数又は複数のインクジェットノズルを介して前記画線部形成すべきオフセット印刷版の表面に供給することもできるということである。
【０００９】
書換え可能及び消去可能なオフセット印刷版で作業する前記のようなオフセット印刷機において、レピートなしのオフセット印刷を可能にするために、本発明の趣旨では、シームレスの表面を備えた書換え可能及び消去可能なオフセット印刷版を使用することが提案される。この場合、書換え可能及び消去可能なオフセット印刷版のシームレスの表面は、オフセット印刷版の全表面が、オフセット印刷に適合された所定の粗さ若しくは表面粗さ（Rauhtiefe）を有するように構成されている。このことによって、書換え可能及び消去可能なオフセット印刷版に各画線部形成装置を介してシームレスに画線部を形成することが可能になる。このために、各画線部形成装置には、連続的に画線部形成材料が供給され、この場合、画線部形成材料は、有利には、レーザを用いてオフセット印刷版の表面へシームレスに供給される。
【００１０】
表面がオフセット印刷に適合された粗さを有している、シームレスのオフセット印刷版は、有利には、鋼から成る溶接されたスリーブである。この場合、スリーブの溶接シームは、超仕上げプロセス（特に研磨）によって、次のように処理されている。すなわち、スリーブの全表面が、オフセット印刷に適合された粗さを有し、これに応じて、オフセット印刷に適した表面がシームレスに存在するように処理されている。鋼から成る溶接されたスリーブの表面は、有利には、研磨、特に粗研磨及び微細研磨によって、要求される粗さに調節されている。あるいは、本発明の趣旨では、書換え可能及び消去可能な前記オフセット印刷版を、電気めっきによって製作されるシームレスのスリーブとして構成することが可能である。電気めっきによって製作されるこのようなスリーブは、有利には、オフセット印刷に適した表面を提供するためにシームレスにコーティングされているニッケルスリーブである。ニッケルから成るこのようなスリーブのコーティングは、有利には、既述のように電気めっき又はＰＶＤコーティングプロセス又は溶射例えば火炎溶射によって行われる。このことによって、シームレスのニッケルスリーブの表面は、該表面において親水性の機能層を提供するために、クロムめっきされるか又はセラミックコーティングされる。次いで、前記機能層へ、画線部形成装置を用いて画線部形成材料、特に親インキ性の（インキのつきやすい）ポリマーが供給されることができ、このようにして提供されたオフセット印刷版にシームレスに画線部が形成される。
【００１１】
本発明によるオフセット印刷機によって、レピートなしのオフセット印刷が初めて可能になる。本発明の核心は、書換え可能及び消去可能なオフセット印刷版で作業するオフセット印刷機であって、書換え可能及び消去可能なオフセット印刷版がシームレスの表面を有していて、画線部形成装置によってシームレスに画線部形成可能であるオフセット印刷機を提供することにある。このために、シームレスのオフセット印刷版は、その完全な表面の領域において、オフセット印刷に適合された粗さを有している。